(57)【特許請求の範囲】
【請求項１】
縦長箱形のサーバラックを間隔を空けて配置したサーバラック列を前面の吸気側が向かい合うように天井板と間隙を開けて配置し、該向かい合ったサーバラック列前面の吸気側の間隔の空間をコールドアイルとし、前記向かい合ったサーバラック列背面の排気側の空間を暖気が排気されるホットアイルとして設定し、サーバルーム内のサーバラック背面から排気される暖気の還流を防止するサーバラック還流防止装置であって、
前記サーバラックの上面からサーバルーム天井板に向かって延びる平板状且つ透過性を有する還流防止パネルと、該還流防止パネルの上縁とサーバルーム天井板との間隙を塞ぐための弾性材料からなるパッキンと、前記還流防止パネルをサーバラックの箱形上面に自立させるためのブラケットと、該ブラケットから還流防止パネルの平板面に沿ってサーバルーム天井板方向に延びるアングルと、前記間隔を空けて配置したサーバラック間の間隙に沿って延び、前記アングル間に支持される金属バーと、前記サーバラック間の間隙を塞ぐように該金属バーに吊される還流防止カーテンとを備えたことを特徴とするサーバラック還流防止装置。
【請求項２】
縦長箱形のサーバラックを間隔を空けて配置したサーバラック列を前面の吸気側が向かい合うように天井板と間隙を開けて配置し、該向かい合ったサーバラック列前面の吸気側の間隔の空間をコールドアイルとし、前記向かい合ったサーバラック列背面の排気側の空間を暖気が排気されるホットアイルとして設定し、サーバルーム内のサーバラック背面から排気される暖気の還流を防止するサーバラック還流防止装置であって、
前記サーバラックの上面からサーバルーム天井板に向かって延びる平板状且つ透過性を有する還流防止パネルと、該還流防止パネルの上縁とサーバルーム天井板との間隙を塞ぐための弾性材料からなるパッキンと、前記還流防止パネルをサーバラックの上面に自立させるためのブラケットと、該ブラケットから還流防止パネルの平板面に沿ってサーバルーム天井板方向に延びるアングルと、前記間隔を空けて配置したサーバラック間の間隙に沿って延び、前記アングル間に伸縮自在に支持されるワイヤーと、前記サーバラック間の間
隙を塞ぐように該ワイヤーに吊される還流防止カーテンとを備えたことを特徴とするサーバラック還流防止装置。
【請求項３】
縦長箱形のサーバラックを間隔を空けて配置したサーバラック列を前面の吸気側が向かい合うように天井板と間隙を開けて配置し、該向かい合ったサーバラック列前面の吸気側の間隔の空間をコールドアイルとし、前記向かい合ったサーバラック列背面の排気側の空間を暖気が排気されるホットアイルとして設定し、サーバルーム内のサーバラック背面から排気される暖気の還流を防止するサーバラック還流防止方法であって、
前記サーバラックの上面からサーバルーム天井板に向かって延びる平板状且つ透過性を有する還流防止パネルと、該還流防止パネルの上縁とサーバルーム天井板との間隙を塞ぐための弾性材料からなるパッキンと、前記還流防止パネルをサーバラックの箱形上面に自立させるためのブラケットと、該ブラケットから還流防止パネルの平板面に沿ってサーバルーム天井板方向に延びるアングルと、前記間隔を空けて配置したサーバラック間の間隙に沿って延び、前記アングル間に支持される金属バーと、前記サーバラック間の間隙を塞ぐように該金属バーに吊される還流防止カーテンとを備えるサーバラック還流防止装置を設け、該サーバラック還流防止装置にサーバラック背面から排気される暖気が天井板方向に上昇してサーバラック前面側への暖気の還流を防止することを特徴とするサーバラック還流防止方法。
【請求項４】
縦長箱形のサーバラックを間隔を空けて配置したサーバラック列を前面の吸気側が向かい合うように天井板と間隙を開けて配置し、該向かい合ったサーバラック列前面の吸気側の間隔の空間をコールドアイルとし、前記向かい合ったサーバラック列背面の排気側の空間を暖気が排気されるホットアイルとして設定し、サーバルーム内のサーバラック背面から排気される暖気の還流を防止するサーバラック還流防止方法であって、
前記サーバラックの上面からサーバルーム天井板に向かって延びる平板状且つ透過性を有する還流防止パネルと、該還流防止パネルの上縁とサーバルーム天井板との間隙を塞ぐための弾性材料からなるパッキンと、前記還流防止パネルをサーバラックの上面に自立させるためのブラケットと、該ブラケットから還流防止パネルの平板面に沿ってサーバルーム天井板方向に延びるアングルと、前記間隔を空けて配置したサーバラック間の間隙に沿って延び、前記アングル間に伸縮自在に支持されるワイヤーと、前記サーバラック間の間隙を塞ぐように該ワイヤーに吊される還流防止カーテンとを備えるサーバラック還流防止装置を設け、該サーバラック還流防止装置にサーバラック背面から排気される暖気が天井板方向に上昇してサーバラック前面側への暖気の還流を防止することを特徴とするサーバラック還流防止方法。
【発明の詳細な説明】
【技術分野】
【０００１】
本発明は、多数の電子機器を搭載した複数のサーバラックを設置するサーバルームにおける暖気の還流を防止することができるサーバラック還流防止装置及びサーバラック還流防止方法に関する。
【背景技術】
【０００２】
一般にサーバルームにおけるサーバラックは、内部にサーバを構成する複数の電子機器を箱形の筐体に搭載し、複数のサーバラックを１列に連結して設置され、これらサーバラック内に収容された電子機器を効率良く冷却するため、サーバラック列の前面または背面同士を向い合せに設置し、サーバラック前面側を空調機から排出される冷気を集めた空間であるコールドアイルとし、サーバラック背面側をサーバの排熱を集めた空間であるホットアイルとして設定し、サーバラック内に収容された電子機器がサーバラック前面側のコールドアイルから冷気を吸気し、背面側のホットアイルに暖気を排気するように構成することによってサーバルーム内の冷却効率を向上し、空調機の消費電力を削減することが行われている。
【０００３】
なお、前記したサーバルームの冷却に関する技術が記載された文献としては、例えば下記の特許文献１が挙げられ、この特許文献１には、ラック列に対向して空調機を配置し、この空調機からの冷気をフリーアクセスフロアの床面の下を通してラック列の吸気側の床から排出するように配置し、空調機からラックに対して吹き出された空調機吹出温度及びラックが吸気する際の冷却風の温度であるラック吸気温度を検出し、前記空調機吹出温度とラック吸気温度とが同じ温度となるように空調機の風量を制御すると共に、ラックから排気された排熱風のラック排気温度及び空調機が取り込む際の排熱風の温度である空調機戻り温度とを検出し、ラック排気温度と空調機戻り温度との温度差をなくす様に空調機の風量を制御する技術が記載されている。
【先行技術文献】
【特許文献】
【０００４】
【特許文献１】特開２０１１−７４２３号公報
【発明の概要】
【発明が解決しようとする課題】
【０００５】
前述の特許文献１に記載された技術は、ラック列に対向して空調機を配置し、該空調機からの冷気をフリーアクセスフロアの床面の下を通してラック列の吸気側の床から排出してサーバラックに供給し、該サーバラックから排気される暖気を、天井側を通して空調機に戻す空気流路を形成し、冷却側温度及び排気暖気側温度を検出して送風量を制御することにより無駄な冷却風を削減することができるものの、サーバラック内部にはファンによって冷気を吸気するため、暖気もラック内に吸引してしまい、ラック内の電子機器を効率的に冷却することが困難であると言う課題があると共に、サーバラック列を向かい合わせたサーバルームにおけるサーバラックからの暖気の還流を考慮しておらず、この暖気の還流による電子機器の冷却を効率的に行うことが困難であるという課題があった。
【０００６】
本発明の目的は、前述の従来技術による課題を解決しようとするものであり、縦長箱形のサーバラックを間隔を空けて配置したサーバラック列から排気される暖気が還流してサーバラック列の吸気側から吸引されることを防止し、サーバラック内の電子機器を効率的に冷却することができるサーバラック還流防止装置及びサーバラック還流防止方法を提供することである。
【課題を解決するための手段】
【０００７】
前記目的を達成するために本発明は、縦長箱形のサーバラックを間隔を空けて配置したサーバラック列を前面の吸気側が向かい合うように天井板と間隙を開けて配置し、該向かい合ったサーバラック列前面の吸気側の間隔の空間をコールドアイルとし、前記向かい合ったサーバラック列背面の排気側の空間を暖気が排気されるホットアイルとして設定し、サーバルーム内のサーバラック背面から排気される暖気の還流を防止するサーバラック還流防止装置であって、
前記サーバラックの上面からサーバルーム天井板に向かって延びる平板状且つ透過性を有する還流防止パネルと、該還流防止パネルの上縁とサーバルーム天井板との間隙を塞ぐための弾性材料からなるパッキンと、前記還流防止パネルをサーバラックの箱形上面に自立させるためのブラケットと、該ブラケットから還流防止パネルの平板面に沿ってサーバルーム天井板方向に延びるアングルと、前記間隔を空けて配置したサーバラック間の間隙に沿って延び、前記アングル間に支持される金属バーと、前記サーバラック間の間隙を塞ぐように該金属バーに吊される還流防止カーテンとを備えたことを第１の特徴とする。
【０００８】
また、本発明は、縦長箱形のサーバラックを間隔を空けて配置したサーバラック列を前面の吸気側が向かい合うように天井板と間隙を開けて配置し、該向かい合ったサーバラック列前面の吸気側の間隔の空間をコールドアイルとし、前記向かい合ったサーバラック列背面の排気側の空間を暖気が排気されるホットアイルとして設定し、サーバルーム内のサーバラック背面から排気される暖気の還流を防止するサーバラック還流防止装置であって、
前記サーバラックの上面からサーバルーム天井板に向かって延びる平板状且つ透過性を有する還流防止パネルと、該還流防止パネルの上縁とサーバルーム天井板との間隙を塞ぐための弾性材料からなるパッキンと、前記還流防止パネルをサーバラックの上面に自立させるためのブラケットと、該ブラケットから還流防止パネルの平板面に沿ってサーバルーム天井板方向に延びるアングルと、前記間隔を空けて配置したサーバラック間の間隙に沿って延び、前記アングル間に伸縮自在に支持されるワイヤーと、前記サーバラック間の間隙を塞ぐように該ワイヤーに吊される還流防止カーテンとを備えたことを第２の特徴とする。
【０００９】
更に、本発明は、縦長箱形のサーバラックを間隔を空けて配置したサーバラック列を前面の吸気側が向かい合うように天井板と間隙を開けて配置し、該向かい合ったサーバラック列前面の吸気側の間隔の空間をコールドアイルとし、前記向かい合ったサーバラック列背面の排気側の空間を暖気が排気されるホットアイルとして設定し、サーバルーム内のサーバラック背面から排気される暖気の還流を防止するサーバラック還流防止方法であって、
前記サーバラックの上面からサーバルーム天井板に向かって延びる平板状且つ透過性を
有する還流防止パネルと、該還流防止パネルの上縁とサーバルーム天井板との間隙を塞ぐための弾性材料からなるパッキンと、前記還流防止パネルをサーバラックの箱形上面に自立させるためのブラケットと、該ブラケットから還流防止パネルの平板面に沿ってサーバルーム天井板方向に延びるアングルと、前記間隔を空けて配置したサーバラック間の間隙に沿って延び、前記アングル間に支持される金属バーと、前記サーバラック間の間隙を塞ぐように該金属バーに吊される還流防止カーテンとを備えるサーバラック還流防止装置を設け、該サーバラック還流防止装置にサーバラック背面から排気される暖気が天井板方向に上昇してサーバラック前面側への暖気の還流を防止することを第３の特徴とする。
【００１０】
更に、本発明は、縦長箱形のサーバラックを間隔を空けて配置したサーバラック列を前面の吸気側が向かい合うように天井板と間隙を開けて配置し、該向かい合ったサーバラック列前面の吸気側の間隔の空間をコールドアイルとし、前記向かい合ったサーバラック列背面の排気側の空間を暖気が排気されるホットアイルとして設定し、サーバルーム内のサーバラック背面から排気される暖気の還流を防止するサーバラック還流防止方法であって、
前記サーバラックの上面からサーバルーム天井板に向かって延びる平板状且つ透過性を有する還流防止パネルと、該還流防止パネルの上縁とサーバルーム天井板との間隙を塞ぐための弾性材料からなるパッキンと、前記還流防止パネルをサーバラックの上面に自立させるためのブラケットと、該ブラケットから還流防止パネルの平板面に沿ってサーバルーム天井板方向に延びるアングルと、前記間隔を空けて配置したサーバラック間の間隙に沿って延び、前記アングル間に伸縮自在に支持されるワイヤーと、前記サーバラック間の間隙を塞ぐように該ワイヤーに吊される還流防止カーテンとを備えるサーバラック還流防止装置を設け、該サーバラック還流防止装置にサーバラック背面から排気される暖気が天井板方向に上昇してサーバラック前面側への暖気の還流を防止することを第４の特徴とする。
【発明の効果】
【００１１】
本発明によるサーバラック還流防止装置及びサーバラック還流防止方法は、縦長箱形のサーバラックを間隔を空けて配置したサーバラック列を設置したサーバルームにおいて、前記還流防止パネルに加え、アングル間に渡した金属バーに還流防止カーテンを吊すことによってラック間からの暖気の還流を防止することができ、アングル間に渡した伸縮自在なワイヤーに還流防止カーテンを吊すことによってラック間からの暖気の還流を防止することができると共にラック間の間隔に係わらず還流防止カーテンを吊すことができる。
【図面の簡単な説明】
【００１２】
【図１】本発明の参考例によるサーバラック還流防止方法を適用したサーバルームを示す図。
【図２】本発明の参考例によるサーバラック還流防止装置の第１及び第２実施形態を示す図。
【図３】本発明の参考例によるサーバラック還流防止装置の第３の実施形態を示す図。
【図４】本発明によるサーバラック還流防止装置の第１の実施形態を示す図。
【図５】本発明によるサーバラック還流防止装置の第２の実施形態を示す図。
【発明を実施するための形態】
【００１３】
以下、本発明によるサーバラック還流防止方法を適用したサーバラック還流防止装置の実施形態を図面を参照して説明する。
［第１参考例］
本発明の参考例によるサーバラック還流防止方法を適用したサーバルームは、図１に示す如く、縦長箱形の複数のサーバラックを１列に結合したサーバラック列１０を吸気側（前面側）が向かい合うように配置し、該サーバラック列１０の吸気側の間隔の空間をコールドアイルとし、該サーバラック列１０の排気側（背面側）の空間を暖気が排気されるホットアイルとして設定し、更に、前記サーバラック列１０の背面に排気された暖気が天井側を通して還流されることを防止するための遮蔽物である還流防止パネル３１及び該還流防止パネル３１を自立させるための支持部材であるブラケット３０とからなるサーバラック還流防止装置を設置している。
【００１４】
この還流防止パネル３１は、サーバラック列１０の背面側から排気される暖気が温度により天井板２０に達し、この上昇した暖気が天井板２０を伝わってコールドアイル側に流れることを阻止するため、サーバラック列１０の上面（天板）とサーバルームの天井板２０との間隙を塞ぐように配置され、照明の光を遮断しないように透過性の合成樹脂を材料とするのが好ましい。
【００１５】
このサーバラック還流防止装置は、図２（ａ）に示す如く、サーバラック１０ａの上面の前面側縁から下縁が直立する平板状の還流防止パネル３１と、還流防止パネル３１の上縁に設けられ、地震等による揺れを吸収し且つ前記天井板２０との間隙を弾性力をもって塞ぐためのゴム材等のパッキン３２と、該還流防止パネル３１をサーバラック１０ａの天板に固定的に直立させるための直角三角形状のブラケット３０とから構成され、前記直角三角形状のブラケット３０は、底辺をサーバラック１０ａの上面とネジ止めされ、垂直辺を還流防止パネル３１の垂直面にネジ止めされている。前記還流防止パネル３１と天井板２０との間隙は、約５〜２０ｍｍ程度の間隔を空け、この間隙を弾性材料から成るパッキン３２によって塞ぐことが好ましい。
【００１６】
このように構成したサーバラック還流防止方法を適用したサーバルームは、サーバラック列１０の背面から排気された暖気が天井板２０に達してサーバラック前面側に還流しようとする空気流が生じた場合であっても、この空気流の流れを還流防止パネル３１が阻止するため、暖気がコールドアイル側に戻されることが無く、従ってサーバラック内の電子機器に空調機から排気された冷気のみを供給することができ、効率的に電子機器を冷却することができる。
【００１７】
［第２参考例］
前記の参考例においては、還流防止パネル３１をサーバラック１０ａの天板に固定的に直立させるサーバラック還流防止装置を説明したが、本発明は還流防止パネル３１を固定的に取り付けるものに限られるものではなく、図２（ｂ）に示す如く、サーバラック１０ａの上板に還流防止パネル３１を支持した直角三角形状のブラケット３０の底辺を移動可能に案内する一対のベースレール３３をボルト固定し、該ベースレール３３によって還流防止パネル３１の直立位置を調整自在に構成しても良い。
【００１８】
本参考例によるサーバラック還流防止装置は、天井板に熱感知センサ等の突起物が設けられている場合、これら突起物が障害と成らない位置に還流防止パネル３１の直立位置を調整することができる。
【００１９】
［第３参考例］
更に、本発明によるサーバラック還流防止装置は、前記ベースレール３３をサーバラック１０ａの上面にボルト固定するものに限られるものではなく、図３に示す如く、ベースレール３３の両端をサーバラック１０ａの上面の枠に勘合するフック４０を用いて着脱自在に配置するように構成しても良い。
【００２０】
本参考例によるサーバラック還流防止装置は、前述の第２参考例による天井突起物が障害と成らない位置に還流防止パネル３１の直立位置を調整することができる効果に加え、サーバラック上面上におけるベースレール３３の位置を容易に変更することができる効果を奏する。
【００２１】
［第１実施形態］
本発明の第１実施形態によるサーバラック還流防止装置は、コンピュータシステムの構成や地震対策のために、サーバラックとサーバラック間に間隙を開けた配置のサーバルームにも適用することができ、この実施形態によるサーバラック還流防止装置は、図４に示す如く、間隔を空けて配置されたサーバラック１０ａのそれぞれの上面の前面側縁から下縁が直立する板状の還流防止パネル３１と、還流防止パネル３１の上縁に設けられ、地震等による揺れを吸収し且つ前記天井板２０との間隙を弾性力をもって塞ぐためのゴム材等のパッキン３２と、該還流防止パネル３１をサーバラック１０ａの上面に固定的に直立させるための直角三角形状のブラケット３０と、２つのサーバラック１０ａのブラケット３０の垂直辺から天井板２０に向かって延びるアングル５２と、２つのサーバラック１０ａのアングル５２の上端に取り付けられる長板状の金属バー５１と、該金属バー５１に上端が複数の支持リング５４によって支持され、２つのサーバラック１０ａ間の間隙を塞ぐように吊り下げられた還流防止カーテン５０とから構成される。
【００２２】
本実施形態によるサーバラック還流防止装置は、サーバラック１０ａ間に隙間があった場合であっても、前記アングル５２により支持された金属バー５１に複数の支持リング５４によって吊り下げられた還流防止カーテン５０が、サーバラック１０ａ背面から排気された暖気がサーバラック１０ａからサーバラック１０ａ前面側への還流を防止することができ、サーバラック内の電子機器に空調機から排気された冷気のみを供給することができ、効率的に電子機器を冷却することができる。
【００２３】
［第２実施形態］
前記第１の実施形態においては長板状の金属バー５１に還流防止カーテン５０を吊り下げる例を説明したが、本発明はこれに限られるものではなく、図５に示す如く、間隔を空けて配置されたサーバラック１０ａのそれぞれの上面の前面側縁から下縁が直立する板状の還流防止パネル３１と、還流防止パネル３１の上縁に設けられ、地震等による揺れを吸収し且つ前記天井板２０との間隙を弾性力をもって塞ぐためのゴム材等のパッキン３２と、該還流防止パネル３１をサーバラック１０ａの上面に固定的に直立させるための直角三角形状のブラケット３０と、２つのサーバラック１０ａのブラケット３０の垂直辺から天井板２０に向かって延びるアングル５２と、２つのサーバラック１０ａのアングル５２の上端に取り付けられ、両端にスプリング５６が取り付けられたワイヤー５５と、該ワイヤー５５に上端が複数の支持リング５４によって、支持され、２つのサーバラック１０ａ間の間隙を塞ぐように吊り下げられた還流防止カーテン５０とから構成される。
【００２４】
本実施形態によるサーバラック還流防止装置は、サーバラック１０ａ間に隙間が固定的でなく、配置変更によって、ラック間の間隙寸法が変化した場合であっても、前記アングル５２により支持されたワイヤー５５に複数の支持リング５４によって吊り下げられた還流防止カーテン５０が、サーバラック１０ａ背面から排気された暖気がサーバラック１０ａからサーバラック１０ａの前面側への還流を防止することができ、サーバラック内の電子機器に空調機から排気された冷気のみを供給することができ、効率的に電子機器を冷却することができる。
【００２５】
なお、前記図４及び図５を参照した実施形態における還流防止パネル３１及び還流防止カーテン５０は、防火の観点から不燃または難燃性の素材を使用することが望ましい。また、本発明による還流防止カーテン５０は、サーバラック列１０の両端のサーバラック１０ａを耐震のために固定した場合には図４に示した実施形態の金属バー５１を使用し、片側または両側のサーバラック１０ａが簡易免震装置等に設置されてサーバラック１０ａが可動し、サーバラック１０ａ間の距離が変動する場合は、図５に示した実施形態のスプリング５６及びワイヤー５５を使用することによって、サーバラックを固定式及び稼働式両方のラックに適用することができる。
【符号の説明】
【００２６】
１０ａ  サーバラック、１０  サーバラック列、２０  天井板、
３０  ブラケット、３１  還流防止パネル、３２  パッキン、
３３  ベースレール、４０  フック、５０  還流防止カーテン、５１  金属バー、
５２  アングル、５４  支持リング、５５  ワイヤー、５６  スプリング
【図１】
0005698029.tif 000002
【図２】
0005698029.tif 000003
【図３】
0005698029.tif 000004
【図４】
0005698029.tif 000005
【図５】
0005698029.tif 000006